(57)【要約】  【課題】  単一の押し下げスイッチで撮像開始、撮像休止、及び撮像停止の操作指示を行えるようにする。  【解決手段】  動画撮像装置１は操作部５に押し下げ式の撮像ボタン５ａを設けており、撮像ボタン５ａが押し下げストロークの半分まで押し下げられたこと（半押し操作）、及びストローク端まで押し下げられたこと（全押し操作）を操作部５の押し下げ検知部５ｄが検知して、検知した内容をシステムコントローラ１６に伝送する。システムコントローラ１６は、撮像中に半押し操作が行われた旨を伝送された場合、撮像を休止する制御を行い、撮像中に全押し操作が行われた旨を伝送された場合、撮像を停止する制御を行う。【選択図】      図２
2005311899.tif 000002
【特許請求の範囲】
【請求項１】
押し下げスイッチの押し下げ操作に基づき動画の撮像を開始する動画撮像装置において、
動画撮像中に前記押し下げスイッチの押し下げストロークの途中位置までの押し下げ操作に基づき撮像を休止又は停止する手段と、
動画撮像中に前記押し下げスイッチの押し下げストロークのストローク端までの押し下げ操作に基づき撮像を停止又は休止する手段と
を備えることを特徴とする動画撮像装置。
【請求項２】
押し下げスイッチの押し下げ操作に基づき動画の撮像を開始する動画撮像装置において、
動画撮像中に前記押し下げスイッチを押し下げストロークの途中位置まで押し下げる操作又はストローク端まで押し下げる操作のいずれか一方の操作に対して撮像の休止又は停止を割り当てる割当手段と、
前記割当手段が前記一方の操作に対して撮像の休止又は停止を割り当てた場合、他方の操作に対して撮像の停止又は休止を割り当てる手段と
を備えることを特徴とする動画撮像装置。
【請求項３】
第１スイッチ及び第２スイッチを備え、該第１スイッチの操作に基づき動画の撮像を開始する動画撮像装置において、
動画撮像中での前記第１スイッチ及び第２スイッチの両方の操作に基づき撮像を休止又停止する手段と、
動画撮像中での前記第１スイッチ又は第２スイッチの片方の操作に基づき撮像を停止又は休止する手段と
を備えることを特徴とする動画撮像装置。
【請求項４】
第１スイッチ及び第２スイッチを備え、該第１スイッチの操作に基づき動画の撮像を開始する動画撮像装置において、
動画撮像中での前記第１スイッチ及び第２スイッチの両方の操作若しくは前記第１スイッチ又は第２スイッチの片方の操作のいずれか一方の操作に対して撮像の休止又は停止を割り当てる割当手段と、
前記割当手段が前記一方の操作に対して撮像の休止又は停止を割り当てた場合、他方の操作に対して撮像の停止又は休止を割り当てる手段と
を備えることを特徴とする動画撮像装置。
【発明の詳細な説明】
【技術分野】
【０００１】
本発明は、動画撮像に係る撮像停止及び撮像休止に対する操作性を向上した動画撮像装置に関する。
【背景技術】
【０００２】
従来、動画撮像を行える装置としてデジタルビデオカメラ及び動画撮像に対応したデジタルカメラ等がある。デジタルビデオカメラは撮像に係る操作ボタンとして録画開始／停止ボタンとシャッターボタンとを通常備えており、また、デジタルカメラは撮像に係る操作ボタンとしてシャッターボタンを備えることが一般的である。
【０００３】
デジタルビデオカメラにおける動画撮像では、先ずユーザは撮像開始のため録画開始／停止ボタンを操作し、その後、撮像停止のため録画開始／停止ボタンを再度操作することになる。なお、撮像された動画はファイルとして記録されるが、撮像を開始してから録画開始／停止ボタンが操作されるまでに撮像された動画が一つのファイルとして記録される。また、デジタルビデオカメラのシャッターボタンは動画の撮像時に使用されず、通常、静止画の撮像時にのみ用いられる。
【０００４】
一方、動画撮像を行えるデジタルカメラでは、撮像の開始及び停止をシャッターボタンで兼用していることが多く、一度シャッターボタンを押し下げると撮像を開始し、再度シャッターボタンを押し下げると撮像を停止する仕様が一般的である。なお、撮像した動画に係る処理に関しては下記の特許文献１に開示されている。
【特許文献１】特開２００４−２３４１９号公報
【発明の開示】
【発明が解決しようとする課題】
【０００５】
従来のデジタルビデオカメラは、撮像中に録画開始／停止ボタンが操作されると、一旦撮像を停止するため、記録される動画に係るファイルは録画開始／停止ボタンの操作に応じて分割されてしまうと云う問題があった。また、昨今のデジタルビデオカメラは小型化が進んでいるため、多くのボタンを筐体に設けることがサイズ的に困難になると云う問題がある。さらにまた、従来のデジタルビデオカメラは、動画及び静止画の撮像に対して２種類の異なるボタンを備えるため、ユーザは動画及び静止画の撮像に対して各ボタンを使い分ける必要があり、使い勝手が良好でないと云う問題がある。また、従来のデジタルカメラでも、基本的にシャッターボタンのみで動画撮像の開始及び停止を行うため、デジタルビデオカメラの場合と同様にファイルが分割されてしまい、撮像を一時的に休止してファイルを分割させないような処理に対応できないと云う問題がある。
【０００６】
本発明は、斯かる問題に鑑みてなされたものであり、単一の押し下げスイッチの操作の仕方に応じて撮像開始、撮像停止、及び撮像休止を夫々行えるようにして、記録されるファイルの分割をユーザがコントロールできるようにした動画撮像装置を提供することを目的とする。
また、本発明は、二つのスイッチを適宜操作することで、撮像開始、撮像停止、及び撮像休止を行えるようにした動画撮像装置を提供することを目的とする。
【課題を解決するための手段】
【０００７】
上記課題を解決するために本発明に係る動画撮像装置は、押し下げスイッチの押し下げ操作に基づき動画の撮像を開始する動画撮像装置において、動画撮像中に前記押し下げスイッチの押し下げストロークの途中位置までの押し下げ操作に基づき撮像を休止又は停止する手段と、動画撮像中に前記押し下げスイッチの押し下げストロークのストローク端までの押し下げ操作に基づき撮像を停止又は休止する手段とを備えることを特徴とする。
【０００８】
本発明にあっては、単一の押し下げスイッチの押し下げ操作により動画撮像を開始し、動画撮像中での押し下げスイッチの所謂半押し操作により撮像を休止又は停止し、動画撮像中での押し下げスイッチの所謂全押し操作により、撮像を停止又は休止するので、単一の押し下げスイッチのみで撮像開始、撮像停止、及び撮像休止を行えるようになる。その結果、撮像された動画に係るファイルも撮像休止の場合は、休止の前後でファイルが分割されなくなり、撮像停止の場合はファイルを分割できるようになる。また、従来のデジタルビデオカメラに比べて操作部の構成を簡略化できると共に操作性も向上でき、またデジタルカメラに対しても操作部に係るハード構成を変更することなく撮像休止処理を行えるようになる。
【０００９】
また、本発明に係る動画撮像装置は、押し下げスイッチの押し下げ操作に基づき動画の撮像を開始する動画撮像装置において、動画撮像中に前記押し下げスイッチを押し下げストロークの途中位置まで押し下げる操作又はストローク端まで押し下げる操作のいずれか一方の操作に対して撮像の休止又は停止を割り当てる割当手段と、前記割当手段が前記一方の操作に対して撮像の休止又は停止を割り当てた場合、他方の操作に対して撮像の停止又は休止を割り当てる手段とを備えることを特徴とする。
【００１０】
本発明にあっては、割当手段で所謂半押し操作又は全押し操作のいずれか一方の操作に対応して撮像の休止又は停止の設定を割り当てると共に、他方の操作に対しては割り当てられていない操作内容を割り当てるので、半押し操作と全押し操作の操作内容をユーザが自由に設定できるようになる。よって、ユーザの使い勝手に応じた操作性を提供できる。
【００１１】
本発明に係る動画撮像装置は、第１スイッチ及び第２スイッチを備え、該第１スイッチの操作に基づき動画の撮像を開始する動画撮像装置において、動画撮像中での前記第１スイッチ及び第２スイッチの両方の操作に基づき撮像を休止又停止する手段と、動画撮像中での前記第１スイッチ又は第２スイッチの片方の操作に基づき撮像を停止又は休止する手段とを備えることを特徴とする。
【００１２】
本発明にあっては、第１スイッチの押し下げ操作により動画撮像を開始し、動画撮像中に第１スイッチと第２スイッチとが両方とも操作される場合と、片方のみが操作される場合とで、撮像の休止又は停止のいずれかを夫々行うため、第１スイッチ及び第２スイッチで撮像開始、撮像停止、及び撮像休止を行えるようになる。その結果、各スイッチの操作の仕方により記録されるファイルの分割と非分割をコントロールできるようになる。また、従来のデジタルビデオカメラに比べて操作スイッチ数を削減でき、装置の小型化に対応した操作部を設けられる。また、デジタルカメラに対しては、シャッターボタンの他に一つスイッチを追加するだけで撮像休止処理を行えるようになる。
【００１３】
また、本発明に係る動画撮像装置は、第１スイッチ及び第２スイッチを備え、該第１スイッチの操作に基づき動画の撮像を開始する動画撮像装置において、動画撮像中での前記第１スイッチ及び第２スイッチの両方の操作若しくは前記第１スイッチ又は第２スイッチの片方の操作のいずれか一方の操作に対して撮像の休止又は停止を割り当てる割当手段と、前記割当手段が前記一方の操作に対して撮像の休止又は停止を割り当てた場合、他方の操作に対して撮像の停止又は休止を割り当てる手段とを備えることを特徴とする。
【００１４】
本発明にあっては、割当手段で第１スイッチと第２スイッチとの両方の操作又は片方の操作のいずれか一方の操作に対応して撮像の休止又は停止を割り当てると共に、他方の操作に対して割り当てられていない方の操作内容を割り当てるので、２個のスイッチの各種操作方式に対応する操作内容を自由に設定できるようになる。よって、２個のスイッチに係る操作性をユーザの使い勝手に応じて変更できる。
【発明の効果】
【００１５】
本発明にあっては、単一の押し下げスイッチのみで撮像開始、撮像停止、及び撮像休止を行えるので、記録される動画に係るファイルを分割するか否かをユーザが選択できると共に、操作部の構成の簡略化及び操作性の向上を図れる。
また、本発明にあっては、押し下げスイッチの半押し操作と全押し操作に対し、撮像の休止又は停止をユーザが自由に設定できるので、ユーザの使い勝手に応じた操作性を提供できる。
【００１６】
さらに、本発明にあっては、第１スイッチ及び第２スイッチで撮像開始、撮像停止、及び撮像休止を行えるので、記録される動画に係るファイルを分割するか否かをユーザが選択できると共に、操作スイッチの数を従来に比べて削減でき、装置の小型化にも対応し得る。
さらにまた、本発明にあっては、第１スイッチと第２スイッチとの両方の操作又は片方の操作に対して、撮像の休止又は停止をユーザが自由に設定できるので、ユーザは自身の使い勝手に応じた操作性を確保できる。
【発明を実施するための最良の形態】
【００１７】
図１は、本発明の第１実施形態に係る動画撮像装置１の斜視図である。第１実施形態の動画撮像装置１は、ボックス状の筐体の前面２ａに撮像レンズ部３を設けると共に、背面２ｂに液晶表示画面を有するモニタ部４及び操作部５を設けている。操作部５は、複数のスイッチから形成されており、その中には押し下げスイッチに相当する撮像ボタン５ａ、撮像範囲調整用のズームスイッチ５ｂ、モニタ部４で表示されたメニュー、サムネイル画像等の選択及び決定を行う十字スイッチ５ｃ等がある。
【００１８】
図２は、動画撮像装置１の内部構成を示すブロック図である。動画撮像装置１は、撮像した動画に対して所要の圧縮処理を施して記録媒体Ｋへ記録すると共に、記録媒体Ｋに記録した動画を伸張してモニタ部４に再生表示できるようにしている。なお、本実施形態の動画撮像装置１は、記録媒体Ｋとして半導体メモリを用いており、図１では示していないスロット部に半導体メモリを装着できるようにしている。なお、記録媒体Ｋには、半導体メモリ以外に、デジタルビデオテープ、ハードディスク装置、及び各種光ディスク等を適用することも可能であるが、その場合は適用する記録メディアに応じた装着部、駆動部等を設けることが必要である。
【００１９】
図２に示すように動画撮像装置１では、先ず撮像レンズ３ａで撮像素子１０へ像を集光し、撮像素子１０は集光された像を画像に係る電気信号に変換してカメラ信号処理部１１へ伝送する。カメラ信号処理部１１は、伝送されてきた電気信号に所要の信号処理を施して記録再生処理部１３へ伝送する。なお、カメラ信号処理部１１の処理はカメラ制御部１２により制御されており、動画の撮像を行う場合は、上述した処理を一定の間隔、例えば、１秒間当たりに３０回行う。また、カメラ制御部１２は、操作部５で操作された内容に基づきカメラ信号処理部１１に対する制御を行う。
【００２０】
記録再生処理部１３は後述するシステムコントローラ１６の制御に基づき動画の記録、再生、表示等に係る各種処理を行う。撮像した動画の記録処理に対しては、伝送されてきた電気信号に係る画像を所要の圧縮方式（本実施形態ではＭＰＥＧ２フォーマット）で圧縮して記録媒体インタフェース部１５へ伝送する処理を行う。なお、記録処理の際、記録再生処理部１３は、撮像開始から撮像停止（ストップ）までを一つのファイルとして記録するように処理を行い、撮像中に撮像休止（ポーズ）が介在した場合、ファイルを分断することなく撮像休止の前後で記録される動画を一つのファイルとして記録するように処理を行う。
【００２１】
さらに、記録した動画の再生に対して記録再生処理部１３は、圧縮した画像を元の状態に伸張し表示インタフェース部１４へ伝送する処理を行う。また、撮像前に撮像対象をモニタ部４で表示する場合、記録再生処理部１３は、カメラ信号処理部１１からの電気信号を表示インタフェース部１４へ順次伝送する処理を行う。なお、記録再生処理部１３は各種メニュー及びサムネイル等をモニタ部４で表示させる際の処理も行う。メニュー表示に対し記録再生処理部１３は、システムコントローラ１６のＲＯＭ１６ａに記録されているメニュー画像をモニタ部４へ伝送し、サムネイルを表示する場合は記録媒体Ｋに記録されている各動画のフレーム画像を読み出すと共に、各フレーム画像を縮小配置したサムネイルを作成してモニタ部４へ伝送する処理を行う。
【００２２】
表示インタフェース部１４は、記録再生処理部１３から伝送されてきた画像をモニタ部４で表示させる処理を行う。また、記録媒体インタフェース部１５は、記録再生処理部１３で圧縮された画像を記録媒体Ｋへ書き込み処理を行うと共に、記録再生処理部１３が伸張処理を行う画像を記録媒体Ｋから読み出して記録再生処理部１３へ伝送する。
【００２３】
操作部５は、ユーザからの操作を各スイッチで受け付けると共に、各スイッチが操作を受け付けた旨をシステムコントローラ１６へ伝送する処理を行う。本実施形態の操作部５が備える撮像ボタン５ａは一定の押し下げストロークが確保された構造になっており、撮像ボタン５ａが押し下げストロークの半分まで押し下げられたか、又はストローク端まで押し下げられたかを検知する押し下げ検知部５ｄが操作部５に設けられている。押し下げ検知部５ｄは、撮像ボタン５ａが半分まで押し下げられたこと（以下、「半押し操作」と称す）を検知したときは、半押し操作が行われた旨をシステムコントローラ１６へ伝送し、撮像ボタン５ａがストローク端まで押し下げられたこと（以下、全押し操作と称す）を検知したときは、全押し操作が行われた旨をシステムコントローラ１６へ伝送する。
【００２４】
一方、システムコントローラ１６はＲＯＭ１６ａ及びＲＡＭ１６ｂを備え、動画撮像装置１の全体的な制御を行っている。ＲＯＭ１６ａには、システムコントローラ１６が行う処理内容を規定したプログラム及びメニューのデータ等が記録されており、ＲＡＭ１６ｂはシステムコントローラ１６の処理に係る内容を一時的に記録する。システムコントローラ１６は、撮像開始、撮像停止、及び撮像休止に係る制御処理を前記プログラムに基づき撮像ボタン５ａの操作に応じて行う。
【００２５】
具体的にシステムコントローラ１６は、撮像の停止中又は撮像の休止中に操作部５から操作ボタン５ａの全押し操作が行われた旨が伝送されると、撮像を開始する制御を行って記録再生処理部１３で撮像した動画の記録処理を行わせる。また、システムコントローラ１６は、動画の撮像中に操作部５から操作ボタン５ａの半押し操作が行われた旨が伝送されると、撮像を休止（ポーズ）する制御を行って記録再生処理部１３での記録処理を休止させる。さらに、システムコントローラ１６は、動画の撮像中に操作部５から操作ボタン５ａの全押し操作が行われた旨が伝送されると、撮像を停止（ストップ）する制御を行って記録再生処理部１３での記録処理を停止させる。
【００２６】
よって、図３に示すように、撮像を行っていない状況でユーザが操作ボタン５ａの全押し操作を行うと、動画撮像装置１は動画撮像を開始して撮像した動画を記録媒体Ｋに記録する。また、撮像中にユーザが操作ボタン５ａの半押し操作を行うと、動画撮像装置１は撮像を休止して記録媒体Ｋへの記録も休止する。さらに、撮像休止中にユーザが操作ボタン５ａの全押し操作を行うと、動画撮像装置１は撮像を再開して記録媒体Ｋへの記録も再開し、撮像中にユーザが操作ボタン５の全押し操作を行うと、撮像を停止して記録媒体Ｋへの記録も停止する。その結果、撮像休止中は動画の記録が行われないが（図３中のハッチングの部分）、撮像休止の前後に撮像された動画は分断されることなく１個のファイル（ファイル１）として記録媒体Ｋに記録される。なお、図３において横軸は時間ｔの経過を示している。
【００２７】
また、操作ボタン５ａの全押し操作により撮像を開始した後に、操作ボタン５ａの全押し操作が行われると、動画撮像装置１は撮像を停止して記録媒体Ｋへの記録も停止する。そのため、再度、操作ボタン５ａの全押し操作が行われた場合でも、動画撮像装置１は最初の操作ボタン５ａの全押し操作から２回目の全押し操作までの動画を１個のファイル（ファイル２）として記録し、３回目の全押し操作からは別のファイル（ファイル３）として動画を記録する。
【００２８】
このように第１実施形態の動画撮像装置１は、単一の操作ボタン５ａのみで撮像開始、撮像休止、及び撮像停止の操作をユーザから受け付けることができるため、ユーザは操作ボタン５ａの半押し操作と全押し操作を使い分けるだけで、記録されるファイルが分割される度合いを選択でき、操作性を向上して操作部に係るスイッチ数の低減も図れる。また、第１実施形態に係る構成は、デジタルビデオカメラ及び動画撮像にも対応したデジタルカメラに適用でき、さらには動画撮像機能を有する携帯電話器にも半押し操作及び全押し操作の可能な押し下げスイッチを設けることにより適用できる。
【００２９】
なお、第１実施形態の動画撮像装置１は、上述した形態以外にも変形例が存在し、プログラムの規定内容を変更することで、操作ボタン５ａの半押し操作で撮像を停止し、全押し操作で撮像を休止するようにシステムコントローラ１６が制御を行うことも可能である。また、操作ボタン５ａの半押し操作及び全押し操作に対し、ユーザの好みに応じて撮像休止と撮像停止とを設定できる構成にしてもよい。
【００３０】
この場合、例えば、図４に示すような半押し操作に対する内容を設定する設定メニュー１８をＲＯＭ１６ａに記録すると共に、システムコントローラ１６に不揮発性メモリを接続する。また、ＲＯＭ１６ａに記録されるプログラムは、所要の操作で設定メニュー１８をモニタ部４に表示させて、ユーザが操作部５の十字スイッチ５ｃの操作することで、半押し操作に対して撮像休止又は撮像停止が設定されることを受け付けるようにする。設定を受け付けた場合、システムコントローラ１６は半押し操作に対して設定を受け付けた操作内容を割り当て、また、全押し操作に対しては半押し操作で設定されなかった方の操作内容を自動的に割り当て、割り当てた各内容を不揮発性メモリに書き込む処理を行う。よって、操作ボタン５ａの操作に対しては不揮発性メモリに記録された内容に基づきシステムコントローラ１６が撮像に係る制御を行うため、ユーザの使い勝手に応じた内容に撮像ボタン５の操作形態を合わせることができる。
【００３１】
なお、図４の設定メニュー１８を、全押し操作に対して撮像の休止又は停止の設定を受け付ける内容に変更し、全押し操作の内容の設定が割り当てられると、半押し操作に対して他方の操作内容をシステムコントローラ１６が自動的に割り当てるようにしてもよい。
【００３２】
図５は、本発明の第２実施形態の動画撮像装置２０を示す斜視図である。第２実施形態の動画撮像装置２０は、第１実施形態の動画撮像装置１０と比べると外観的には筐体２２の撮像レンズ部２３が設けられた前面２２ａに押し下げ式の補助ボタン２５ｅ（第２スイッチに相当）を設けていることが相異する。なお、その他の点は第１実施形態と同様であり、筐体２２の背面２２ｂにはモニタ部２４、撮像ボタン２５ａ（第１スイッチに相当）、ズームスイッチ２５ｂ、十字スイッチ２５ｃ等が設けられている。なお、撮像ボタン２５ａ及び補助ボタン２５ｅは、撮像時にユーザが筐体２２を把持した状態で同時に右手の各指で操作できる位置に配置している。
【００３３】
図６は、第２実施形態の動画撮像装置２０の内部構成の一部を示すブロック図である。操作部２５は、カメラ制御部３１及びシステムコントローラ３６と接続されており、撮像ボタン２５ａ及び補助ボタン２５ｅがユーザにより押し下げ操作が夫々行われたか否かを押し下げ操作部２５ｄで検知している。また、押し下げ操作部２５ｄは各ボタン２５ａ、２５ｅの操作を検知した場合、検知した内容をシステムコントローラ３６へ伝送する。
【００３４】
システムコントローラ３６は、第１実施形態と同様にプログラムに基づき各種制御を行っているが、第２実施形態では操作ボタン２５ａ及び補助ボタン２５ｅの操作に応じて撮像開始、撮像休止及び撮像停止を行っている。具体的には、システムコントローラ３６は、撮像の停止中又は休止中に操作部２５から操作ボタン２５ａの操作が行われた旨が操作部２５から伝送されると、撮像を開始して撮像した動画の記録処理に対する制御を行う。また、システムコントローラ３６は、動画の撮像中に操作ボタン２５ａ及び補助ボタン２５ｅの両方が同時に操作された旨が伝送されると、撮像を休止して記録処理を休止させる制御を行う。さらに、システムコントローラ３６は、動画の撮像中に操作ボタン５ａのみの片方の操作が行われた旨が伝送されると、撮像を停止して記録処理を停止させる制御を行う。なお、第２実施形態の動画撮像装置２０は、上述した構成及び処理以外に関しては第１実施形態と同様であるため、説明を省略する。
【００３５】
よって、第２実施形態の動画撮像装置２０でも、撮像中にユーザが撮像ボタン２５ａ及び補助ボタン２５ｅの両方を同時に操作すれば（以降、両方操作と称す）、撮像を休止でき、撮像中に撮像ボタン２５ａのみを操作すれば（片方操作に相当）、撮像を休止でき、ファイルの分割具合を適宜操作できるようになる。なお、第２実施形態の動画撮像装置２０の構成も、デジタルビデオカメラ、動画撮像に対応したデジタルカメラ、及び動画撮像機能を有する携帯電話器に適用可能である。
【００３６】
また、第２実施形態の動画撮像装置２０も種々の変形例を適用でき、例えば、撮像ボタン２５ａ及び補助ボタン２５ｅは押し下げスイッチではなく、スライドスイッチのような他の形態のスイッチも適用できる。また、動画撮像装置２０は撮像中に補助ボタン２５ｅのみの操作（片方操作に相当）で撮像を休止するようにしてもよく、両方操作と片方操作との操作内容を上述した場合と逆にすることも可能である。
【００３７】
さらに、両方操作と片方操作との操作内容をユーザが設定できるようにしてもよく、この場合は、図７に示す操作設定メニュー３８をモニタ部２４に表示し、両方操作に撮像休止又は撮像停止のいずれを割り当てるかと云うユーザの設定を受け付けられるようにし、また、片方操作に対しては両方操作で割り当てられなかった方の操作内容を自動的にシステムコントローラ３６が割り当てるようにする。このようにすることで、ユーザの使い勝手に応じた操作インタフェースを確立できる。なお、図７の操作設定メニュー３８で、両方操作ではなく、片方操作に対しユーザが割り当てる設定を受け付けるようにし、両方操作に対して片方操作で割り当てられなかった方の操作内容をシステムコントローラ３６が自動的に割り当てるようにしてもよい。
【図面の簡単な説明】
【００３８】
【図１】本発明の第１実施形態に係る動画撮像装置の斜視図である。
【図２】動画撮像装置の内部構成を示すブロック図である。
【図３】撮像した動画に係るファイルの形態を説明する図である。
【図４】操作内容の設定に係るメニューを示す図である。
【図５】第２実施形態に係る動画撮像装置の斜視図である。
【図６】動画撮像装置の内部構成の一部を示すブロック図である。
【図７】操作内容の設定に係るメニューを示す図である。
【符号の説明】
【００３９】
１、２０  動画撮像装置
５、２５  操作部
５ａ、２５ａ  撮像ボタン
５ｄ、２５ｄ  押し下げ検知部
１６、３６  システムコントローラ
１８  設定メニュー
３８  操作設定メニュー
Ｋ  記録媒体
【図１】
2005311899.tif 000003
【図２】
2005311899.tif 000004
【図３】
2005311899.tif 000005
【図４】
2005311899.tif 000006
【図５】
2005311899.tif 000007
【図６】
2005311899.tif 000008
【図７】
2005311899.tif 000009